(57)【特許請求の範囲】
【請求項１】
帯状用紙の一方の面に粘着層が形成された台紙レスラベル用紙を、刃体により枚葉状に切断する台紙レスラベル発行装置において、
前記刃体と対向してオイル含浸体を配置し、前記オイル含浸体を前記刃体の側面に接離自在とする押圧手段を設け、当該台紙レスラベル発行装置のケース内から外方に突出させた操作部により、前記押圧手段を押圧することを特徴とする台紙スレスラベル発行装置。
【請求項２】
前記押圧手段は、前記刃体による切断動作とは関連することなく、前記オイル含浸体を前記刃体に押圧可能であることを特徴とする請求項１に記載の台紙レスラベル発行装置。
【請求項３】
前記オイル含浸体は、弾性部材により前記刃体から離反する方向に付勢されていることを特徴とする請求項１又は２に記載の台紙レスラベル発行装置。
【請求項４】
前記刃体はせん断により前記台紙レスラベル用紙を切断する一対の刃体で、前記オイル含浸体が接離される刃体の側面とは、前記刃体が互いに擦れ合う面であることを特徴とする請求項１乃至３の何れか１項に記載の台紙レスラベル発行装置。
【請求項５】
前記オイル含浸体は、前記刃体のうち、前記台紙レスラベル用紙の粘着層と対向する刃体に押圧されるよう配置されていることを特徴とする請求項４記載の台紙レスラベル発行装置。
【請求項６】
前記刃体における台紙ラベル用紙搬送方向の上流側に印字部を備え、前記オイル含浸体と前記印字部とは、前記台紙ラベル用紙を境に対向する位置に配置されていることを特徴とする請求項１乃至５の何れか１項に記載の台紙レスラベル発行装置。
【請求項７】
前記刃体は少なくとも一方が正面視略Ｖ字形の刃体であり、前記オイル含浸体は該正面視略Ｖ字形の刃体の最深部近傍に押圧されることを特徴とする請求項４又は５に記載の台紙レスラベル発行装置。
【発明の詳細な説明】
【技術分野】
【０００１】
本発明は一方の面に粘着層が形成された帯状の連続用紙を用い、枚葉状の用紙を切断発行する台紙レスラベル発行装置に関する。
【背景技術】
【０００２】
従来のラベルプリンタとして、長尺帯状の台紙にラベルが貼着されたラベル用紙を、ラベルを台紙に貼着したまま該台紙を切断してラベルを発行するものがある。そして、前記台紙を切断する切断ユニット（可動刃と固定刃）の可動刃は、台紙を切断する毎に、オイルを含浸したスポンジと接触するようにしたものがある（例えば、特許文献１参照）。
このものは、可動刃が台紙を切断する毎にオイルを含浸したスポンジ（オイル含浸体）に接触するので、該可動刃にオイルが付着（塗布）され、それにより可動刃に糊や切断時に発生する切り滓（紙粉）が付着するのを防止している。
【０００３】
しかし、前記引用文献１に記載のものは、可動刃の動作の度にスポンジに接触してオイルを染み出させるため、スポンジに含浸されたオイルの消耗が早いという問題がある。尚、前記問題を解消する方法として、例えば、オイル含浸体を大きくする、或いはオイル含浸体にオイルを供給するタンクを設ける方法などが考えられるが、いずれの方法も装置が大きくなる、また、コストアップになる等の問題を有する。
【先行技術文献】
【特許文献】
【０００４】
【特許文献１】実開昭６２−１８９９号公報
【発明の概要】
【発明が解決しようとする課題】
【０００５】
本発明は上記従来の技術が有する問題点に鑑みてなされたもので、装置が大きくなることなく、切断刃にオイルを効果的に塗布することができ、切断刃に糊や切り滓等が付着するのを防止できる台紙レスラベル発行装置を提供することを目的とする。
【課題を解決するための手段】
【０００６】
前記目的を達成するために本発明の台紙レスラベル発行装置は、帯状用紙の一方の面に粘着層が形成された台紙レスラベル用紙を、刃体により枚葉状に切断する台紙レスラベル発行装置において、前記刃体と対向してオイル含浸体を配置し、前記オイル含浸体を前記刃体の側面に接離自在とする押圧手段を設け、当該台紙レスラベル発行装置のケース内から外方に突出させた操作部により、前記押圧手段を押圧することを特徴とする。
前記台紙レス用紙を切断する方法として、一対の刃体にてせん断作用にて切断することが考えられるが、その他、一つの刃体で、該刃体が用紙の幅方向に移動しながら用紙を切断する刃体であってもよい。また、鋭利な山と谷とが連続した刃先を有する一つの刃体を、展張した用紙に対し駆動させ、該用紙を切断する刃体であってもよい。また、特に、一つの刃体で用紙を切断する場合は、用紙を完全切断するタイプの切断手段の他、用紙の一部に非切断部が残り、該部分から用紙を引き離してラベルとして使用する刃体を備える場合であってもよい。
前記オイル含浸体としては、例えば、連続気泡発泡体のスポンジ、或いはフェルト、海綿体等の多孔性で吸水性を有する弾性含浸体が挙げられる。
前記粘着層は予め帯状用紙の一方の面に設けられている用紙でも、或いは、ラベル用紙発行の際に該用紙の所定箇所を加熱用のサーマルヘッドにより加熱することで粘着層が生成される用紙など、何れであってもよい。
【０００７】
上記手段によれば、刃体の切断動作と関係なく、オイルを刃体の側面に塗布することができる。例えば、オペレータが装置の刃体を目視確認し、切れ味が悪くなった時、押圧手段を操作して刃体にオイルを塗布することができる。これにより、オイルの塗布が用紙を切断する度に行われることはなく、従って、オイルを沢山含浸できる大きなオイル含浸体や、大きなオイルタンクなどを備える必要がない。
また、前記刃体はせん断により用紙を切断する一対の刃体で、刃体が互いに擦れ合う側の側面にオイル含浸体が塗布されることがより効果的である。一対の刃体が擦れ合って粘着層を有する用紙が切断されるので、その擦れ合う面に糊等が付着し易くなるが、その箇所にオイルを塗布することで、糊等が付着しにくくなる。
【０００８】
前記オイル含浸体は、一対の刃体で該刃体の側面と対向して配置されるが、刃体に対するオイル塗布の目的からすれば、台紙レスラベル用紙の粘着層と対向する刃体に押圧されるように配置するのが効果的である。即ち、刃体が可動するときは粘着面に向けて可動するようになるので、必然的に刃体の側面には糊等が付き易くなるが、その刃体に向けてオイルが塗布されるようになるので、より効果的にオイルを塗布することができる。
【０００９】
また、前記刃体における台紙ラベル用紙搬送方向の上流側に印字部を備え、前記オイル含浸体と前記印字部とは、前記台紙ラベル用紙を境に対向する位置に配置する。
前記印字部はラベル発行装置として必要不可欠の機構であり、用紙を挟んだ印字部と対向する位置には印字部を設けることで生じる空間を利用してオイル含浸体を設けることができるので、前記空間を有効活用でき、装置が大型化するのを抑えてオイル含浸体を備えることができる。つまり、通常は用紙の上方に印字部を設け、下方を通過する用紙に対して印字部にて印字するようになるが、このような構造の場合には、印字部の略下方にオイル含浸体が位置するようになるので、印字部の下方の領域を利用することができ、前記のように大型化するのを抑えてオイル含浸体を備えることができる。また、粘着面より下方に可動刃が位置している場合は、該刃体に糊等が付き易くなるが、その場合であっても、オイル含浸体が印字部の略下方に位置することで、装置の前に飛び出さずコンパクトな装置にて、該可動刃にオイルを塗布することができるようになる。
【００１０】
また、前記一対の刃体は、せん断により用紙を切断する構成であれば前記刃体の形態は問わない。例えば、前記一対の刃体のうち、少なくとも一方は正面視略Ｖ字形の刃体とし、前記オイル含浸体を前記正面視略Ｖ字形の刃体の最深部近傍に押圧されるように配置することで、ラベル用紙の粘着層の糊が最も付着しやすいＶ字形刃体の最深部近傍にオイルを塗布することができる。
【発明の効果】
【００１１】
本発明の台紙レスラベル発行装置は、通常のラベルを発行するための刃体の切断動作と関係なく、オイルを刃体に押圧し塗布することができる。従って、塗布される回数を少なくすることができるのでオイルを沢山含浸できる大きなオイル含浸体や、大きなオイルタンクなどを備える必要がなく、オイル塗布手段を備えてもラベル発行装置が大型化することはない。
【図面の簡単な説明】
【００１２】
【図１】本発明に係る台紙レスラベル発行装置の概略を示す側面図。
【図２】要部の拡大図で、（ａ）は一部切欠正面図、（ｂ）は同縦断側面図。
【図３】オイル含浸体を刃部材に接離する押圧手段を示し、（ａ）は平面図、（ｂ）は一部切欠側面図。
【図４】押圧手段を操作した状態を示し、（ａ）は平面図、（ｂ）は一部切欠側面図。
【図５】押圧手段がカバー部の開閉動作に連係して動作する他の例を示す側面図
【図６】カバー部を開動した状態を示す同側面図。
【発明を実施するための形態】
【００１３】
以下、本発明に係る台紙レスラベル発行装置の実施の形態の一例を図面に基づいて説明する。
図１は台紙レスラベル発行装置Ａの概略を示し、ケース１内にロール装填部２が設けられ、そのロール装填部２にセットされる台紙レスラベルロールのラベル用紙の繰り出し方向前方位置に、ラベル用紙の送出手段３と、印字部４と、印字された台紙レスラベル用紙をせん断により所定長さに切断する一対の刃体からなる切断手段５が配置され、該切断手段５より台紙レスラベル用紙の搬送方向上流側にはオイル含浸体６が設けられ、更に、前記オイル含浸体６を前記切断手段５の一方の刃体に接触させる押圧手段７と、前記切断手段５より前方には切断送出された台紙レスラベルＬを一時的に保持するラベル保持部８が設けられている。そして、前記ロール装填部２には台紙レスラベルロール９が回転可能に支持されている。
【００１４】
台紙レスラベルロール９からラベル用紙９’を送出する送出手段３は、ケース１の周壁に開設したラベル送出口１０の上流側近傍に配置した上下一対のローラからなる下流側の用紙送出手段３ｂと、その用紙送出手段３ｂより上流側に所定間隔をおいて配置した印字部４を兼ねた上流側の用紙送出手段３ａとからなる。
【００１５】
印字部４を兼ねた上流側の用紙送出手段３ａは、ラベル用紙９’の下方（粘着層側）に位置するプラテンローラ４ａと、ラベル用紙９’の上方（印字面側）に位置するサーマルヘッド４ｂとで構成され、前記プラテンローラ４ａと下流側の用紙送出手段３ｂにおける下側のローラはモータによって駆動回転するように構成されている。そして、ラベル用紙９’の上方に位置するサーマルヘッド４ｂと下流側の用紙送出手段３ｂにおける上側のローラはそれぞれラベル用紙９’を下側のローラ（用紙送出手段３ｂにおける下側のローラ、プラテンローラ４ａ）とで挾着するように下方に付勢され、それにより前記ラベル用紙９’を安定して送出し得るように構成されている。
【００１６】
また、前記印字部４のプラテンローラ４ａと下流側の用紙送出手段３ｂにおける下側のローラは、それぞれの表面に剥離剤がコーティングされており、ラベル用紙９’の印字面とは反対側面に塗着されている粘着剤が付着しないようにしてあり、それによってラベル用紙９’の送出が円滑に行われるようになっている。尚、ラベル用紙９’の粘着層が前記ローラに付着しにくくする構成は、上記構成に限らず、前記ローラ自体又はローラの最外周部分を易剥離性の部材で構成してもよい。
【００１７】
前記印字部４で商品情報が印字され、ラベル送出口１０に向けて送出されるラベル用紙９’をせん断により所定長さの枚葉状に切断する切断手段５は、ラベル送出口１０より水平状に送出されるラベル用紙９’を挟むように配置した上下一対の片刃の刃体、可動刃５ａと固定刃５ｂとで構成されている。
【００１８】
ラベル用紙９’の粘着層側（下方）に配置される可動刃５ａは刃部が正面視略Ｖ字形に形成され、ラベル用紙９’の印字面側（上方）に配置される固定刃５ｂは刃部が同一幅で直線状に形成された帯刃で形成され、前記可動刃５ａが前記固定刃５ｂに対して進退することによりラベル用紙９’がせん断作用によって切断されるようになっている。前記可動刃５ａはモータによって進退動作するように構成されている。
【００１９】
そして、前記ラベル用紙９’の粘着層と対向する可動刃５ａが配置された側で、且つ前記可動刃５ａにおけるラベル用紙搬送方向上流側の直前位置で、印字部４を構成するサーマルヘッド４ｂ、プラテンローラ４ａの略下方にオイル含浸体６が配置されている。具体的には、前記印字部４におけるプラテンローラ４ａと前記可動刃５ａとの間に配置され、更に前記オイル含浸体６を前記可動刃５ａに接触させる押圧手段７が該オイル含浸体６の上流側直近に配置されている。即ち、押圧手段７の操作によってオイル含浸体６が前方に押し出されて前記可動刃５ａに接触し、該可動刃５ａの刃部にオイルが塗布され、それにより、可動刃５ａにラベル用紙９’の粘着剤やラベル用紙９’の切断によって生じる紙粉等が付着しないようにしてある。また、印字部４を構成するサーマルヘッド４ｂ、プラテンローラ４ａの略下方に位置していることで、印字のために必要な機構の下方の領域を効率よく使用することができる。また、可動刃５ａを駆動させるためのモータ等（不図示）が、オイル含浸体６の下方に位置している。可動刃５ａを駆動させるためのモータ等の機構は、可動刃５ａよりも下方に位置するようになり、そのモータ等と、プラテンローラ４ａ等の印字部４との間には空間が生じるので、該空間を利用することで、オイル含浸体６を設けるだけの空間を特別に設けることなくオイル含浸体６を配置させることができる。
【００２０】
前記オイル含浸体６は、連続気泡発泡体のスポンジ等の弾性体６ａに、人体に触れるなどしても人体に悪影響を及ぼさない食品添加物であるシリコーン１００％のオイル６ｂを含浸させたもので、前記弾性体６ａは箱体６ｃに収容されて押圧手段７に組み付けられている。
具体的には、前記オイル含浸体６は帯板状の弾性体６ａを略Ｕ字状に湾曲形成し、その湾曲部を可動刃５ａとの接触部とし、更に湾曲した前記帯板の一方端は箱体６ｃに収容したオイル６ｂに浸漬し、毛細管作用によりオイル６ｂが前記弾性体の他方端に吸い上げられるようになっている。前記弾性体６ａの湾曲部は箱体６ｃの表面より外方に向けて突出され、可動刃５ａの裏面（固定刃と摺接する面）に弾性的に押し付けられるようになっている。
【００２１】
前記オイル含浸体６を可動刃５ａに対して接離させる押圧手段７は、図３に示すように、前記オイル含浸体６の箱体６ｃを載承支持する載せ台７ａと、該載せ台７ａに支持したオイル含浸体６（箱体６ｃ）を対向する可動刃５ａに向けて移動させる操作レバー７ｂと、前記操作レバー７ｂの押動を解除した時前記オイル含浸体６を可動刃５ａより離反させるスプリング７ｃとで構成されている。そして、前記オイル含浸体６の箱体６ｃは載せ台７ａに摺動可能に支持されると共に、摺動量（移動量）を規制し、且つ、スムーズな摺動を確保するために、前記箱体６ｃの側面に案内突起１１が突設され、その案内突起１１は載せ台７ａに形成した案内孔１２に嵌合されている。
また、前記操作レバー７ｂは基端部が前記載せ台７ａに軸１３で回動可能に軸支され、該操作レバー７ｂの長さ方向の中程位置が前記オイル含浸体６の箱体６ｃ後面（弾性体６ａが突出された側と反対側）に形成した受圧部（膨出部）１４に当接されて突出配置されている。それにより、該操作レバー７ｂの開放端に設けた操作部１５に指を掛けて矢印方向に回動することで、図４に示すように、前記オイル含浸体６を可動刃５ａに押し付けることができ、オイル６ｂを可動刃５ａに塗布することができる。尚、前記操作レバー７ｂの操作部１５を、ケース１を貫通して外方に突出させた場合は、ケース１を外すことなく操作レバー７ｂを直接操作することが可能となり、オイル塗布の作業を容易に行うことができる。なお、操作部１５は、装置の正面視側部から突出するよう位置しているので、装置を操作するオペレータは気が付き易く、オイルの塗布作業を容易にすることができる。
前記スプリング７ｃは載せ台７ａとオイル含浸体６の箱体６ｃとの間に弾圧装着され、オイル含浸体６を可動刃５ａに対して離反方向に付勢している。
【００２２】
また、オイル含浸体６を構成するオイル６ｂを含浸するスポンジ等の弾性体６の箱体６ａは、可動刃５ａが正面視略Ｖ字形の刃部からなる刃体である場合、せん断作用により切断されるラベル用紙９’の粘着剤は略Ｖ字形の刃部のＶ部最深部（谷部分）に寄せられる。その為、ラベル用紙９’の粘着剤は可動刃５ａの正面視略Ｖ字形のＶ部最深部近傍に付着し易くなる為、前記オイル含浸体６の弾性体６ａは可動刃５ａの刃幅と略同幅とすることなく、例えば、可動刃５ａの正面視略Ｖ字形の刃部のＶ部最深部近傍部分と対応する小幅の弾性体としてもよい（図２（ａ）参照）。
【００２３】
図１乃至図４に示した実施の形態は、押圧手段７を直接、手動操作してオイル含浸体６を可動刃５ａに押し付け、オイル６ｂを塗布する例であるが、可動刃５ａ（刃体）に対してオイル含浸体６を接離する押圧手段７は、他物の動作に連係して作動するようにしてもよい。以下、その例を図５及び図６に基づいて説明する。
図５に示す台紙レスラベル発行装置Ａ’は卓上型のラベル発行装置で、ケース１６内に前示実施の形態で示したと同じようにロール紙収容部１７が設けられ、そのロール紙収容部１７にセットされる台紙レスラベルロール１８のラベル用紙１８’の繰り出し方向前方位置に、印字部１９（印字ヘッド１９ａ，プラテンローラ１９ｂ）と、印字された台紙レスラベル用紙をせん断により所定長さに切断する一対の刃体からなる切断手段２０（可動刃２０ａ，固定刃２０ｂ）が配置され、前記ケース１６の上面開口部にはカバー部２１が上下回動可能に取り付けられている。
また、前記切断手段２０より台紙レスラベル用紙の搬送方向上流側にはオイル含浸体２２を取り付けた支持アーム２３が回動可能に取り付けられ、該支持アーム２３はスプリング２６で前記切断手段２０と当接する方向に付勢されている。そして、前記支持アーム２３は前記カバー部２１の開閉動に連係して作動し、前記オイル含浸体２２が前記切断手段２０の可動刃２０ａに接離するように構成されている。
【００２４】
前記カバー部２１の開閉動に連係して前記支持アーム２３が回動する構成は、前記カバー部２１に設けた係止ピン２４にケース１６側に取り付けた掛け止め片２５を係脱自在とし、その掛け止め片２５の係脱は該掛け止め片２５に設けた操作部２５’を下方に押し下げることで、掛け止め片２５が回動して係止ピン２４から外れ、カバー部２１は開動可能となる。また、前記掛け止め片２５はスプリング２７で前記係止ピン２４と係合する方向に付勢され、更に前記掛け止め片２５の下部に前記支持アーム２３が係着されて、スプリング２６の作用で前方に回動しようとする支持アーム２３の動きが拘束されている。
それにより、前記掛け止め片２５の操作部２５’を押し下げると、該掛け止め片２５の係止部は後方に移動して係止ピン２４から外れ、前記係止部と反対側の端部（支持アーム２３と係着する部分）は前方に移動し、支持アーム２３の前方への回動（傾動）を規制していた拘束を解除する。これにより、前記支持アーム２３はスプリング２６の付勢力で前方に回動（傾動）する。そして、支持アーム２３に取り付けられたオイル含浸体２２は前方に配置された切断手段２０の可動刃２０ａに押し付けられ、可動刃２０ａにオイルを塗布することができる。尚、切断手段２０の可動刃２０ａに対するオイル含浸体２２の押し付けは、前記掛け止め片２５の操作部２５’を押し下げている間維持され、操作部２５’の押し下げを開放すると該掛け止め片２５はスプリング２７の引っ張り力で係止ピン２４と係合する方向に回動される。そして、前記掛け止め片２５の回動時、前方に回動（傾動）していた支持アーム２３を引っ掛けて後方に回動する。それにより、支持アーム２３のオイル含浸体２２は切断手段２０の可動刃２０ａから離れる。
また、ロール紙収容部１７に新しい台紙レスラベルロール１８をセットしてカバー部２１を閉じると、前記掛け止め片２５はスプリング２７の引っ張り力で係止ピン２４と係合する方向に付勢され、掛け止め片２５は支持アーム２３を切断手段２０から離反する方向に移動させる。
従って、ロール紙収容部１７にセットした１個の台紙レスラベルロール１８を使い切り、新しいロール紙に交換するためにカバー部２１を開動する掛け止め片２５の操作部２５’を押し下げることでケース１６の上面が開放され、ロール紙収容部１７にセットされた台紙レスラベルロール１８の交換が可能となり、且つ、切断手段２０の可動刃２０ａにオイルを塗布することができる。よって、ロール紙を交換する度に切断手段２０の可動刃２０ａにオイルを塗布することができる。つまり、一つのラベルロールを使い切るということは、刃体が一定の量の用紙を切断したことになり、その一定の量の切断毎に確実にオイルが刃体に塗布されるようになるので、オイルの使用量を抑えて、糊等が刃体に付くのを防止できる。
【００２５】
オイル含浸体を、切断手段の一方の刃体に対して接離させる押圧手段が、他物の動作に連係して作動する例として、ロール紙収容部の上方を覆うカバー部の開閉動作に連係して作動する構成を示したが、この他に、ラベル用紙の先端位置合わせに連係して前記押圧手段が押動／開放される構成としてもよい。
一般的に、この種台紙レスラベル発行装置では、新しいロール紙をセットした時、或いは印字用紙にジャムが発生してリセットする時、ラベル用紙の先端を印字部より下流側の所定位置まで繰り出して位置合わせ（用紙セットアップ）する。そこで、このラベル用紙の先端位置合わせ（用紙セットアップ）の動作、即ち、ラベル用紙を送り出す送出手段（送出ローラ、又はプラテンローラ等）の回転動作を利用して、前記押圧手段を作動させ、それによってオイル含浸体が刃体に押し付けられ、オイルが刃体に塗布されるようにする。尚、押圧手段を連係作動させる動作は、ラベル用紙の先端位置合わせ（用紙セットアップ）時のみ行われるようにし、通常のラベル発行のための用紙送りの時は連係しないよう切り替えられるようにする。
また、通常の用紙を発行するための発行キーの他に、前記のようにロール紙をセットしたときに印字位置まで用紙を送るよう制御するキーを設け、該キーが押され、所定位置まで移動した後に、例えば１回だけ押圧手段によりオイル含浸体が刃体に押し付けられ、その後、オイル含浸体が刃体から離れるようにしてもよい。この場合は、オイル含浸体を例えばソレノイド等により駆動させるようにしてもよいが、用紙をセットするときのみに駆動されるので、通常のラベルが発行される毎にオイル含浸体が押圧されることに比べ、その回数を少なくすることができる。また、前記のように用紙を所定位置まで搬送し、一度刃体を作動させ用紙を切断した後であってもよい。この場合であっても、前記と同様、用紙セットしたとき作動される切断動作後だけにオイル含浸体が押圧されるようになるので、前記と同様、通常のラベルが発行される毎にオイル含浸体が押圧されることに比べ、その回数を少なくすることができる。
これにより、ラベル用紙の先端位置合わせ（用紙セットアップ）毎に、切断手段の刃体にオイルを自動的に塗布することができる。
【００２６】
本発明の台紙レスラベル発行装置は図示した実施の形態に限定されるものではなく、本発明の要旨を変更しない範囲内で適宜変更可能である。
（１）実施の形態では、押圧手段を適時に手動操作してオイル含浸体を刃体に押し付け、オイルを塗布する例を示したが、これに限らず、例えば、切断手段の駆動回数を記憶しておき、駆動回数があらかじめ設定した回数に達した時、電動で作動する駆動機構等で前記押圧手段が作動され、オイル含浸体が刃体に押し付けられるようにしてもよい。
（２）実施の形態では、台紙レスラベル発行装置として、発行されたラベルをオペレータが手で取るタイプの装置を示したが、これに限定されず、発行されたラベルがラベル保持部に位置し、そのラベルが自動貼付機構のアプリケータで吸着保持されて対象物に貼付する自動貼付装置と組み合わせてもよい。
（３）実施の形態では、オイル含浸体を構成する弾性体（スポンジ）は、正面視略Ｖ字形の可動刃（刃体）の谷部近傍と対応する幅のものを示したが、これに限らず、可動刃の刃幅と略同じ幅を有した単一体、或いは幅方向が複数に分割された分割タイプ等、何れでもよい。
（４）実施の形態では、オイル含浸体が接触する位置を可動刃の裏面（固定刃の裏面と摺接する面）とした例を示したが、これに限らず、例えば、固定刃の裏面（可動刃の裏面が摺接する面）にオイル含浸体を押し付けるようにしてもよい。また、可動刃と固定刃の天地が逆であってもよい。
（５）実施の形態では、切断手段を構成する一対の刃体を正面視略Ｖ字形の刃体と、帯刃とからなる例を示したが、これに限らず、例えば、両方の刃体を正面視略Ｖ字形の刃体で構成する、或いは、両方の刃体を帯刃で構成するなど何れでもよい。
（６）実施の形態では、オイル含浸体に含浸させるオイルとしてシリコーンオイルを挙げたがこれに限定されず、オイルの種類は問わないが、特に食品に貼付するラベルや、食品をトレイに詰め包装した包装体に貼付するラベルを発行する場合には、食品添加物であるオイルが食の安全面からも好ましい。
（７）実施の形態では、可動刃５ａの側面にオイル含浸体６が押圧される例で示したが、側面のみならず、可動刃５ａの側面から刃先までを包み込む形状のオイル含浸体を形成し、該オイル含浸体にて押圧するようにしても良い。これにより刃先にもオイルが塗布されるようになるので、刃先にも粘着剤が付き難くなる。
（８）実施の形態では、カバー部２１を開放するために、掛け止め片２５の操作部２５’を押し下げると、支持アーム２３に取り付けられたオイル含浸体２２は前方に配置された切断手段２０の可動刃２０ａに押し付け、掛け止め片２５の操作部２５’の押し下げを開放すると、オイル含浸体２２が切断手段２０の可動刃２０ａから離れる例で説明したが、これに限らず、係止ピン２４等を有さず、カバー部２１の回転軸と支持アーム２３とをリンク機構等により接続し、カバー部２１を開く動作によりオイル含浸体２２が可動刃５ａと接触し、カバー部２１を閉じる動作により、オイル含浸体２２が可動刃５ａから離れるようにしてもよい。
【符号の説明】
【００２７】
Ａ、Ａ’…台紙レスラベル発行装置       ４…印字部
５…切断手段                     ６…オイル含浸体
７…押圧手段                     ９…台紙レスラベルロー
９’…ラベル用紙                ２０…切断手段
２１…カバー部                  ２２…オイル含浸体
２３…支持アーム（押圧手段）    ２５…掛け止め片
【図１】
0006044659.tif 000002
【図２】
0006044659.tif 000003
【図３】
0006044659.tif 000004
【図４】
0006044659.tif 000005
【図５】
0006044659.tif 000006
【図６】
0006044659.tif 000007